(57)【特許請求の範囲】
【請求項１】
容器体１の口頸部11に、押下げ噴出ヘッド22を備えた縦型往復ポンプ21から成る噴出器本体２を装着し、上記押下げ噴出ヘッド22の周りに、上記容器体１の肩部へ下端嵌合部33を嵌合固定させて該下端嵌合部から左右一対の側壁31と後壁32とを起立連設した外装カバー３を配備させ、該外装カバーの両側壁31内上部に、前部42を前方へ突出させた側面形状ヘ字状のトリガー４を後部41にて上記押下げ噴出ヘッド22に被せて配するとともに、該トリガー４の後端を上記側壁31の後部にその押下げ噴出ヘッド22の押し下げ回動可能に枢着５し、かつ、該トリガー４の前部42の上位点に、上記押下げ噴出ヘッド22に対応させて噴出窓43を穿設し、更に、そのトリガー４の前部42の中間点に、上記外装カバー３の前面へ隣接させて横孔47を穿設し、該横孔にロックピン６を抜き差し自在に挿入して該ロックピンを上記外装カバー３の前面へ当接させ、また、上記外装カバー３乃至トリガー４の適所に、引き抜きした上記ロックピン６を保持させるロックピン支持手段７を講じたことを特徴とするトリガー付き噴出器。
【請求項２】
容器体１の口頸部11に、押下げ噴出ヘッド22を備えた縦型往復ポンプ21から成る噴出器本体２を装着し、上記押下げ噴出ヘッド22の周りに、上記容器体１の肩部へ下端嵌合部33を嵌合固定させて該下端嵌合部から左右一対の側壁31と後壁32とを起立連設した外装カバー３を配備させ、該外装カバーの両側壁31内上部に、前部42を前方へ突出させた側面形状ヘ字状のトリガー４を後部41にて上記押下げ噴出ヘッド22に被せて配するとともに、該トリガー４の後端を上記側壁31の後部にその押下げ噴出ヘッド22の押し下げ回動可能に枢着５し、かつ、該トリガー４の前部42の上位点に、上記押下げ噴出ヘッド22に対応させて噴出窓43を穿設し、更に、そのトリガー４の前部42の中間点に、上記外装カバー３の前面へ隣接させて横孔47を穿設し、該横孔にロックピン６を抜き差し自在に挿入して該ロックピンを上記外装カバー３の前面へ当接させ、また、上記トリガー４の後部41の適所に、引き抜きした上記ロックピン６を保持させるロックピン支持手段７を設け、該ロックピン支持手段として、上記トリガー４の後部41の上面適所に、上記ロックピン６を着脱自在に挿入支持させる支持孔71を穿設したことを特徴とするトリガー付き噴出器。
【請求項３】
容器体１の口頸部11に、押下げ噴出ヘッド22を備えた縦型往復ポンプ21から成る噴出器本体２を装着し、上記押下げ噴出ヘッド22の周りに、上記容器体１の肩部へ下端嵌合部33を嵌合固定させて該下端嵌合部から左右一対の側壁31と後壁32とを起立連設した外装カバー３を配備させ、該外装カバーの両側壁31内上部に、前部42を前方へ突出させた側面形状ヘ字状のトリガー４を後部41にて上記押下げ噴出ヘッド22に被せて配するとともに、該トリガー４の後端を上記側壁31の後部にその押下げ噴出ヘッド22の押し下げ回動可能に枢着５し、かつ、該トリガー４の前部42の上位点に、上記押下げ噴出ヘッド22に対応させて噴出窓43を穿設し、更に、そのトリガー４の前部42の中間点に、上記外装カバー３の前面へ隣接させて横孔47を穿設し、該横孔にロックピン６を抜き差し自在に挿入して該ロックピンを上記外装カバー３の前面へ当接させ、また、上記外装カバー３の後部に、引き抜きした上記ロックピン６を保持させるロックピン支持手段７を設け、該ロックピン支持手段７として、上記外装カバー３の後部適所に、上記ロックピン６を着脱自在に嵌挿係止させる耳孔状切欠72を形成したことを特徴とするトリガー付き噴出器
【発明の詳細な説明】
【０００１】
【発明の属する技術分野】
本発明は、噴霧用等のトリガー付き噴出器に関するものである。
【０００２】
【従来の技術】
従来、この種のものに、容器体の口頸部に、押下げ噴出ヘッドを備えた縦型往復ポンプから成る噴出器本体を装着した噴出器において、その噴出器本体の後部からボスを起立させ、該ボスに先端が前方へ突出するヘ字状のトリガーを後端で枢着し、該トリガーの前面上部に窓孔を穿設して、該窓孔に上記押下げ噴出ヘッドのノズルを貫通遊挿させたトリガー付き噴出器がある（実開昭63‐69579 号公報）。この場合、押下げ噴出ヘッドの押し下げ操作を、トリガーのてこ作用により軽快で操作容易なものとすることができる。
【０００３】
【発明が解決しようとする課題】
しかし、一般には、容器体に所要の液体が充填された状態で、商品流通過程を転々流通するために、その運送、積み替え等において、トリガーに不意の外力が加わって内容物が流出し、或いは、店頭での陳列等において、トリガーが不当に操作されて内容物が所定量以下に少なくなり、商品価値を低下させてしまうことがある。
本発明は、かかる問題点を解決し、併せて、取り扱いを容易にし、構造並びに製作簡単で安価に提供できるようにしようとするものである。
【０００４】
【課題を解決するための手段】
上記目的達成のため、請求項１の発明は、容器体１の口頸部11に、押下げ噴出ヘッド22を備えた縦型往復ポンプ21から成る噴出器本体２を装着し、上記押下げ噴出ヘッド22の周りに、上記容器体１の肩部へ下端嵌合部33を嵌合固定させて該下端嵌合部から左右一対の側壁31と後壁32とを起立連設した外装カバー３を配備させ、該外装カバーの両側壁31内上部に、前部42を前方へ突出させた側面形状ヘ字状のトリガー４を後部41にて上記押下げ噴出ヘッド22に被せて配するとともに、該トリガー４の後端を上記側壁31の後部にその押下げ噴出ヘッド22の押し下げ回動可能に枢着５し、かつ、該トリガー４の前部42の上位点に、上記押下げ噴出ヘッド22に対応させて噴出窓43を穿設し、更に、そのトリガー４の前部42の中間点に、上記外装カバー３の前面へ隣接させて横孔47を穿設し、該横孔にロックピン６を抜き差し自在に挿入して該ロックピンを上記外装カバー３の前面へ当接させ、また、上記外装カバー３乃至トリガー４の適所に、引き抜きした上記ロックピン６を保持させるロックピン支持手段７を講じたことを特徴とする。
【０００５】
請求項２の発明は、容器体１の口頸部11に、押下げ噴出ヘッド22を備えた縦型往復ポンプ21から成る噴出器本体２を装着し、上記押下げ噴出ヘッド22の周りに、上記容器体１の肩部へ下端嵌合部33を嵌合固定させて該下端嵌合部から左右一対の側壁31と後壁32とを起立連設した外装カバー３を配備させ、該外装カバーの両側壁31内上部に、前部42を前方へ突出させた側面形状ヘ字状のトリガー４を後部41にて上記押下げ噴出ヘッド22に被せて配するとともに、該トリガー４の後端を上記側壁31の後部にその押下げ噴出ヘッド22の押し下げ回動可能に枢着５し、かつ、該トリガー４の前部42の上位点に、上記押下げ噴出ヘッド22に対応させて噴出窓43を穿設し、更に、そのトリガー４の前部42の中間点に、上記外装カバー３の前面へ隣接させて横孔47を穿設し、該横孔にロックピン６を抜き差し自在に挿入して該ロックピンを上記外装カバー３の前面へ当接させ、また、上記トリガー４の後部41の適所に、引き抜きした上記ロックピン６を保持させるロックピン支持手段７を設け、該ロックピン支持手段として、上記トリガー４の後部41の上面適所に、上記ロックピン６を着脱自在に挿入支持させる支持孔71を穿設したことを特徴とする。
【０００６】
而して、請求項３の発明は、容器体１の口頸部11に、押下げ噴出ヘッド22を備えた縦型往復ポンプ21から成る噴出器本体２を装着し、上記押下げ噴出ヘッド22の周りに、上記容器体１の肩部へ下端嵌合部33を嵌合固定させて該下端嵌合部から左右一対の側壁31と後壁32とを起立連設した外装カバー３を配備させ、該外装カバーの両側壁31内上部に、前部42を前方へ突出させた側面形状ヘ字状のトリガー４を後部41にて上記押下げ噴出ヘッド22に被せて配するとともに、該トリガー４の後端を上記側壁31の後部にその押下げ噴出ヘッド22の押し下げ回動可能に枢着５し、かつ、該トリガー４の前部42の上位点に、上記押下げ噴出ヘッド22に対応させて噴出窓43を穿設し、更に、そのトリガー４の前部42の中間点に、上記外装カバー３の前面へ隣接させて横孔47を穿設し、該横孔にロックピン６を抜き差し自在に挿入して該ロックピンを上記外装カバー３の前面へ当接させ、また、上記外装カバー３の後部に、引き抜きした上記ロックピン６を保持させるロックピン支持手段７を設け、該ロックピン支持手段７として、上記外装カバー３の後部適所に、上記ロックピン６を着脱自在に嵌挿係止させる耳孔状切欠72を形成したことを特徴とする。
【０００７】
如上の構成であるから、いずれの発明にあっても、ロックピン６を差し込みすれば、トリガー４の回動が阻止されて、噴出器本体２は働かず、容器体１に充填した内容物が漏れ出ることはない。
そのロックピン６を引き抜けば、トリガー４はフリーとなり、該トリガーを操作することにより押下げ噴出ヘッド22が押し下げられ、噴出器本体２が作動して、容器体１に充填した内容物が押下げ噴出ヘッド22から外部へと噴出されることになる。
【０００８】
請求項１乃至請求項３の発明にあっては、ロックピン６をトリガー４の横孔47に差し込みするとともに、外装カバー３の前面へ当接させれば、該ロックピン６がトリガー４の動きを阻止する。
そのロックピン６を引き抜きすれば、上述のように、トリガー４がフリーとなるが、その際、また、引き抜きしたロックピン６は、ロックピン支持手段７に保持させればよい。    また、外装カバー３とトリガー４は、噴出器本体２、すなわち、押下げ噴出ヘッド22及び縦型往復ポンプ21を外力から保護し、塵埃の侵入等を少なくする。
【０００９】
請求項２の発明にあっては、ロックピン支持手段７としてトリガー４の後部41の上面適所に穿設した支持孔71は、引き抜きした無用時のロックピン６を挿入させて的確に支持し、ロックピン支持手段７としての簡潔でコンパクトな構造と容易な製作を可能にする。
【００１０】
そして、請求項３の発明にあっては、ロックピン支持手段７として、外装カバー３の後部適所に形成した耳孔状切欠  ７２  は、引き抜きした無用時のロックピン６を嵌挿させて的確に係止し、ロックピン支持手段７としての簡潔でコンパクトな構造と容易な製作を可能にする。
【００１１】
【発明の実施の形態】
その１．
図１乃至図４は、請求項１及び請求項２の発明の実施の形態を示している。
図において、１は、適宜液体を収容する容器体、２は、該容器体の口頸部11に装着した縦型往復ポンプ21から成る噴出器本体で、上に押下げ噴出ヘッド22を備えている。３は、上記押下げ噴出ヘッド22の周りに配備させた外装カバー、４は、該外装カバー内の上部に配して後端を外装カバー後部に枢着５した押下げ噴出ヘッド押し下げ用トリガー、６は、該トリガーの前部42の適所に抜き差し自在に装備させたトリガー作動阻止用のロックピン、７は、引き抜きした上記ロックピン６を保持させるためにトリガー４の後部41の適所に設けたロックピン支持手段であり、これらの部材は、いずれも合成樹脂成形するものである。
なお、図示の場合の噴出器は、噴霧用であり、したがって、押下げ噴出ヘッド22は、噴霧用のノズルを有する。泡噴出用や単なる液体噴出用等としてもよく、それらの場合には、押下げ噴出ヘッド22をそれらに相応するものとすればよい。また、噴出器本体２を一定値以上の液圧でのみ噴出する蓄圧式としてもよい。
【００１２】
容器体１は、口頸部11の直下に位置する肩部の外周に、外装カバー装着用の係合凹溝12を周設している。
噴出器本体２は、容器体１の口頸部11に装着した縦型往復ポンプ21に、前面に噴霧用のノズル23を有する押下げ噴出ヘッド22を備えて成り、該押下げ噴出ヘッド22を押し下げることにより縦型往復ポンプ21が作動して、容器体１に充填した内容物を吸い上げてはノズル23から噴出（噴霧）させるものであり、また、その押下げ噴出ヘッド22の上面をドーム状に形成するとともに、該上面の中央に、前後方向をなす幅広凹溝24を形成している。
【００１３】
外装カバー３は、下端嵌合部33を容器体１の肩部の外周に嵌合させるとともに、該下端嵌合部の下端内縁の各所に係合凸条34を設けて、該係合凸条を容器体１の肩部の係合凹溝12に係合させており、また、上記押下げ噴出ヘッド22の周りに、その下端嵌合部33から起立させ連設させた左右一対の側壁31と後壁32とを有し、したがって、上面乃至前面を開放している。
【００１４】
トリガー４は、側面形状をヘ字状に形成し、その前部42を前方へ突出させて後部41を外装カバー３の両側壁31内上部に位置させ、かつ、その後部41を上記押下げ噴出ヘッド22に被せ、後端の両側を押下げ噴出ヘッド22の押し下げ回動可能に枢着５しており、前部42の先端部分45を引くことで回動操作させることができるようにしている。また、トリガー４は、前部42の上位点に、上記押下げ噴出ヘッド22に対応させて噴出窓43を穿設し、該噴出窓の下縁に下口唇部46を突設し、かつ、トリガー４の前部42の中間点に、外装カバー３の前面へ隣接させて横孔47を穿設し、後部41の内面適所に、その押下げ噴出ヘッド22の頂面へ当接させる左右一対の三角状の押下げ突片44を垂設し、これら両押下げ突片を上記押下げ噴出ヘッド22におけるドーム状上面の中央にある幅広凹溝24に挿入して溝底へと当接させている。
枢着５は、外装カバー３の両側壁31内の後部上位点に、左右一対の軸受凹部51を設け、トリガー４の後端の両側に左右一対の片持ち軸52を突設し、これら両片持ち軸を上記両軸受凹部51へ回動自在に嵌合させて成る。
【００１５】
ロックピン６は、トリガー４の前部42の幅よりもやや長い挿入部61を設け、該挿入部の末端に段付きでやや大径に形成した基端部62を設け、該基端部の末端にフランジ状で模様付きのつまみ63を設けて成り、トリガー４の横孔47に抜き差し自在に挿入して外装カバー３の前面へ当接させるようにしている。
ロックピン支持手段７は、トリガー４の後部41の上面適所に、ロックピン６を着脱自在に挿入支持させる支持孔71を穿設して成る。
【００１６】
その２．
図５乃至図８は、請求項１及び請求項３の発明の実施の形態を示している。
この場合は、図１乃至図４に示す上述のその１．のものにおいて、ロックピン支持手段７の形態のみを異にするものであり、この場合のロックピン支持手段７は、外装カバー３の一側壁31における後部の下位点に、ロックピン６を着脱自在に嵌挿係止させる耳孔状切欠72を下方へ開口させて形成して成る。
その他は、図１乃至図４の示すその１．の場合と同じであり、説明を省略する。
【００１７】
【発明の効果】
請求項１乃至請求項３の発明によれば、押下げ噴出ヘッド作動用トリガー４を可動に装着し、該トリガーの適所に該トリガーの作動を阻止するロックピン６を抜き差し自在に装備させているので、ロックピン６を差し込みすることにより、トリガー４の回動を阻止できて、噴出器本体２の作動を阻止でき、したがって、容器体１に所要の液体が充填された状態で商品流通過程を転々流通しても、その運送、積み替え等において、トリガー４に不意の外力が加わって内容物が流出することも、店頭での陳列等において、トリガー４が不当に操作されて内容物が所定量以下に少なくなるようなこともなく、商品価値を低下させるようなことはない。
また、トリガー４を操作するときは、そのロックピン６を引き抜けばよいから、ロックピン６の操作、取り扱いが容易に行える。
【００１８】
加えて、請求項１乃至請求項３の発明によれば、トリガー４の前部42の中間点に、上記外装カバー３の前面へ隣接させて横孔47を穿設し、該横孔にロックピン６を抜き差し自在に挿入して該ロックピンを上記外装カバー３の前面へ当接させているので、横孔47にロックピン６を挿入することでロックピン６によりトリガー４の動きを的確に阻止することができ、かつ、その阻止状態を支障なく維持することができる。
そして、ロックピン６を引き抜いたときは、そのロックピン６をロックピン支持手段７に保持させることができ、次回の使用に便利である。
また、外装カバー３とトリガー４が噴出器本体２を覆うので、該噴出器本体の押下げ噴出ヘッド22及び縦型往復ポンプ21を外力から保護でき、塵埃の侵入等を少なくすることができる。
【００１９】
更に、請求項２の発明によれば、ロックピン支持手段７として、トリガー４の後部41の上面適所に、上記ロックピン６を着脱自在に挿入支持させる支持孔71を穿設しているので、引き抜きした無用時のロックピン６を挿入させて的確に支持でき、また、請求項４の発明によれば、ロックピン支持手段７として、外装カバー３の後部適所に、耳孔状切欠72を形成しているので、引き抜きした無用時のロックピン６を嵌挿させて的確に係止保持でき、しかも、これらのロックピン支持手段７は、構造が簡潔で、コンパクトなものにでき、製作が容易で、安価に提供できる。
【図面の簡単な説明】
【図１】請求項１及び請求項２の発明に係る実施の形態その１．を示すトリガーの作動を阻止した状態における斜視図である。
【図２】同実施の形態その1.におけるトリガーの作動をフリーにした状態の斜視図である。
【図３】同実施の形態その1.におけるトリガーの作動を阻止した状態の平面図である。
【図４】同実施の形態その1.におけるトリガーの作動を阻止した状態の縦断側面図である。
【図５】請求項１及び請求項３の発明に係る実施の形態その２．を示すトリガーの作動を阻止した状態における斜視図である。
【図６】同実施の形態その２．におけるトリガーの作動をフリーにした状態の斜視図である。
【図７】同実施の形態その１．におけるトリガーの作動を阻止した状態の縦断側面図である。
【図８】同実施の形態その２．におけるトリガーの作動を阻止した状態の底面図である。
【符号の説明】
１…容器体                        11…口頸部
12…係合凹溝
２…噴出器本体                    21…縦型往復ポンプ
22…押下げ噴出ヘッド              23…噴霧用のノズル
24…幅広凹溝
３…外装カバー                    31…側壁
32…後壁                          33…下端嵌合部
34…係合凸条
４…トリガー                      41…後部
42…前部                          43…噴出窓
44…押下げ突片                    45…先端部分
46…下口唇部                      47…横孔
５…枢着                          51…軸受凹部
52…片持ち軸
６…ロックピン                    61…挿入部
62…基端部                        63…つまみ
７…ロックピン支持手段            71…支持孔
72…耳孔状切欠
【図１】
0003556347.tif 000002
【図２】
0003556347.tif 000003
【図３】
0003556347.tif 000004
【図４】
0003556347.tif 000005
【図５】
0003556347.tif 000006
【図６】
0003556347.tif 000007
【図７】
0003556347.tif 000008
【図８】
0003556347.tif 000009